(57)【要約】【課題】設計上の要請から床面レベルを低くしたい場合に、柱の下端部の固定位置を下げることが可能な柱脚金物と、この柱脚金物を用いた柱と基礎との接合構造とを提供する。【解決手段】基礎天端８０に直接固定されるベースプレート２と、ベースプレート２に直立して固定される１枚または複数枚の取付プレート３と、取付プレート３を挟んでベースプレート２上に直接重ねられる一対の支持プレート４と、を備え、ベースプレート２には、ボルトを挿通するボルト挿通孔が形成され、取付プレート３には、ドリフトピン６を挿通するピン挿通孔３ａが形成され、支持プレート４は、ボルト頭部の厚みよりも若干厚く形成されるとともに、ボルト頭部を逃がすための凹部４ａが形成されてなる。【選択図】  図１
2005171525.tif 000002
【特許請求の範囲】
【請求項１】
基礎と、この基礎上に立設される柱とを接合するための柱脚金物であって、
基礎天端に直接固定されるベースプレートと、ベースプレートに直立して固定される１枚または複数枚の取付プレートと、取付プレートを挟んでベースプレート上に直接重ねられる一対の支持プレートと、を備え、
ベースプレートには、ボルトを挿通するボルト挿通孔が形成され、取付プレートには、ドリフトピンを挿通するピン挿通孔が形成され、支持プレートは、ボルト頭部の厚みよりも若干厚く形成されるとともに、ボルト頭部を逃がすための凹部が形成されたことを特徴とする柱脚金物。
【請求項２】
基礎と、この基礎上に立設される柱とを接合するための柱脚金物であって、
基礎天端に直接固定されるベースプレートと、ベースプレート上面に直接重ねられる支持プレートと、支持プレートに直立して固定される１枚または複数枚の取付プレートと、を備え、
ベースプレートには、ボルトを挿通するボルト挿通孔が形成され、支持プレートは、ボルト頭部の厚みよりも若干厚く形成されるとともに、ボルト頭部を逃がすための凹部が形成され、取付プレートには、ドリフトピンを挿通するピン挿通孔が形成されたことを特徴とする柱脚金物。
【請求項３】
請求項１または２記載の柱脚金物を用いた柱と基礎との接合構造であって、前記柱脚金物のベースプレートを、基礎に埋没したアンカーナットに対して上方からボルトで締結し、柱脚金物の取付プレートを、柱の下端部に形成されたスリットに挿入するとともに、取付プレートのピン挿通孔と柱の下端部に形成されたピン挿通孔に柱の側方からドリフトピンを打ち込むことにより柱を固定したこと特徴とする柱と基礎との接合構造。
【発明の詳細な説明】
【技術分野】
【０００１】
本発明は、柱脚金物、およびこの柱脚金物を用いた柱と基礎との接合構造に関する。
【背景技術】
【０００２】
一般に、木造建築物における土台と柱との固定には、ホールダウン金物や耐力柱固定金物が採用されているが、近年では、施工性を確保し、かつ、より高強度に土台と柱を固定するために、例えば特許文献１に記載されたような柱脚金物も利用されている。
【０００３】
この柱脚金物９１は、図５に示すように、対角線方向角隅部にボルト挿通穴が形成されたベースプレート９２と、ベースプレート９２に平面視略十字状に固定された直立板９３と、直立板９３にベースプレート９２と平行に固定された支持プレート９４と、支持プレート９４に直立して固定され、複数個のピン挿通穴９５ａが形成された取付プレート９５と、から構成されている。
【０００４】
この柱脚金物９１は、図６に示すように、アンカーボルトａを介して基礎９８に固定される。すなわち、基礎９８に植設されたアンカーボルトａにベースプレート９２のボルト挿通穴を挿通させて基礎９８に載置し、アンカーボルトａに螺合させたナットｂをレンチなどを利用して締め付けることにより、固定金具９１を基礎９８に固定している。
【０００５】
そして、柱９７の下端部に形成されたスリットｓが取付プレート９５に差し込まれるとともに、柱９７の下端部に形成されたピン挿通穴９７ａと取付プレート９５のピン挿通穴９５ａにドリフトピン９６またはボルトが打ち込まれることにより、固定金具９１に柱９７が固定される。
【特許文献１】特開２００２−１１５３３９号公報
【発明の開示】
【発明が解決しようとする課題】
【０００６】
上記した特許文献１の柱脚金物では、基礎天端から突出するアンカーボルトａの余長を避けるために、直立板９３の高さだけベースプレート９２と支持プレート９４とを離隔させているので、基礎天端から柱９７下端縁までの高さｈは、直立板９３の高さだけ高くなる（図６参照）。このため、例えば、真壁構造において、床面のレベルを下げたい場合に、柱脚部のスリットｓやドリフトピン９６が露出して美感を損なうといった問題があった。
【０００７】
本発明は、上記従来の問題点を解決すべく創案されたもので、設計上の要請から床面レベルを低くしたい場合に、柱の下端部の固定位置を下げることが可能な柱脚金物と、この柱脚金物を用いた柱と基礎との接合構造とを提供するものである。
【課題を解決するための手段】
【０００８】
上記の目的を達成するため、本発明に係る柱脚金物は、基礎と、この基礎上に立設される柱とを接合するための柱脚金物であって、基礎天端に直接固定されるベースプレートと、ベースプレートに直立して固定される１枚または複数枚の取付プレートと、取付プレートを挟んでベースプレート上に直接重ねられる一対の支持プレートと、を備え、ベースプレートには、ボルトを挿通するボルト挿通孔が形成され、取付プレートには、ドリフトピンを挿通するピン挿通孔が形成され、支持プレートは、ボルト頭部の厚みよりも若干厚く形成されるとともに、ボルト頭部を逃がすための凹部が形成されたことを特徴とする。
【０００９】
また、本発明は、基礎天端に直接固定されるベースプレートと、ベースプレート上面に直接重ねられる支持プレートと、支持プレートに直立して固定される１枚または複数枚の取付プレートと、を備え、ベースプレートには、ボルトを挿通するボルト挿通孔が形成され、支持プレートは、ボルト頭部の厚みよりも若干厚く形成されるとともに、ボルト頭部を逃がすための凹部が形成され、取付プレートには、ドリフトピンを挿通するピン挿通孔が形成されたことを特徴とする。
【００１０】
これらの発明によれば、支持プレートがボルト頭部の厚みよりも若干厚く形成されているとともに、凹部によりボルト頭部を逃がすことができるので、ボルトによって柱脚金物を基礎に固定した場合に、柱を支持プレートの上面位置で支持することができる。したがって、柱の下端部の固定位置を下げることができる。
【００１１】
また、ベースプレート上面に、支持プレートと取付プレートとが固定されてなっているので、構成が簡単で部品点数が少なくてすむ。
【００１２】
本発明は、上記の柱脚金物を用いた柱と基礎との接合構造であって、前記柱脚金物のベースプレートを、基礎に埋没したアンカーナットに対して上方からボルトで締結し、柱脚金物の取付プレートを、柱の下端部に形成されたスリットに挿入するとともに、取付プレートのピン挿通孔と柱の下端部に形成されたピン挿通孔に柱の側方からドリフトピンを打ち込むことにより柱を固定したこと特徴とする。
【００１３】
この発明によれば、基礎に埋没したアンカーナットに、柱脚金物のベースプレートの上方からボルトを締結すれば、柱脚金物を基礎に固定することができる。したがって、アンカーボルトを基礎天端から突き出す必要がなく、アンカーボルトの余長を逃がすために柱脚金物のベースプレートと支持プレートとを鉛直方向に離隔させる必要がないので、柱の下端部の固定位置を下げることができる。
【発明の効果】
【００１４】
本発明に係る柱脚金物およびその接合構造によれば、柱の下端部の固定位置を下げることが可能になるので、例えば、真壁構造の建物において、床面のレベルを下げたい場合でも、室内の美感を損なうことがない。
【発明を実施するための最良の形態】
【００１５】
以下、本発明の実施の形態について図を参照して説明する。
【実施例１】
【００１６】
図１ないし図３には、本発明の柱脚金物１の第１実施例が示されている。
【００１７】
図１は、本発明にかかる柱脚金物１、およびこれを介して接合される柱７と基礎８との接合部分の分解状態を示している。
【００１８】
この柱脚金物１は、基礎天端８０に直接固定されるベースプレート２と、ベースプレート２に直立して固定される２枚の取付プレート３と、取付プレート３を挟んでベースプレート２上に直接重ねられる一対の支持プレート４と、から構成されている。
【００１９】
ベースプレート２は、ボルト挿通孔２ａが、例えば一方の対角線方向角隅部２個所に形成された平面視正方形状の板状体である。
【００２０】
取付プレート３は、数個所のピン挿通孔３ａが形成された平面視長方形状の板状体であって、支持プレート４の対向する端面から隙間ｘを有するように、ベースプレート２に直立して溶接されている（図３参照）。
【００２１】
なお、本実施例では、２枚の取付プレート３が互いに平行にベースプレート２に取り付けられているが、取付プレート３の枚数は２枚に限定されるものではなく、例えば、１枚であってもよく、あるいは３枚であってもよい。また、２枚の取付プレート３間のベースプレート２上面に、支持プレート４の厚みと同様な厚みを有するプレートを取り付けてもよい。
【００２２】
支持プレート４は、長辺がベースプレート２の一辺と同一寸法の平面視長方形状の一対の板状体であって、取付プレート３を挟んで、ベースプレート２に溶接されている。また、支持プレート４は、ボルト５頭部の厚みよりもわずかに大きな厚みを有しており、ボルト５頭部を逃がすための凹部４ａが形成されている。この凹部４ａは、ベースプレート２のボルト挿通孔２ａと重なり合うように設定されている。
【００２３】
次に、このように構成された柱脚金物１を基礎８に固定する手順、および柱７を柱脚金物１に固定する手順について、図１および図３を参照しながら説明する。
【００２４】
基礎８には、アンカーナットＡを埋設しておく。このアンカーナットＡは、例えば、一般のアンカーボルトＢに高ナットを設置したものが用いられ、アンカーボルトＢは、基礎天端８０から突き出さないようになされている（図３参照）。
【００２５】
そして、柱脚金物１を基礎天端８０に載置した後、ベースプレート２に形成されたボルト挿通穴２ａにボルト５を上方から挿通してアンカーナットＡに螺合させ、ボルト５を各アンカーナットＡに締め付けることにより、柱脚金物１を基礎８に固定する。
【００２６】
一方、柱７の下端部には、図１に示すように、スリットＳを形成するとともに、スリットＳに直交して柱７を貫通する複数個のピン挿通穴７ａを形成しておく。
【００２７】
そして、柱７を持ち上げ、その下端部に形成されたスリットＳを柱脚金物１の取付プレート３に合わせて差し込み、柱７を支持プレート４に載置する。
【００２８】
次いで、取付プレート３のピン挿通穴４ａに柱７のピン挿通穴７ａを合わせ、他のピン挿通穴４ａ，７ａに一面側からドリフトピン６をそれぞれ打ち込むことにより、柱７を、柱脚金物１の取付プレート３にドリフトピン６を介して一体に固定する。
【００２９】
このとき、取付プレート３と支持プレート４の隙間ｘにより、ベースプレート２と取付プレート３との溶接の肉盛りを逃がすことができるので、図６に示すように、従来の固定金具９１において溶接の肉盛りを逃がすために必要であった柱９７の下端部の切欠９７ａを、形成する必要がない。
【実施例２】
【００３０】
図４には、本発明の柱脚金物１の第２実施例が示されている。
【００３１】
この実施例は、上記した第１実施例と、取付プレート３、支持プレート４の形状と、取付プレート３の固定態様のみが異なっているものであって、異なる構成についてのみ説明し、同一構成についての説明は省略する。
【００３２】
支持プレート４は、ベースプレート２と平面形状が同一の１枚のプレートであって、ベースプレート２の上面に溶接されている。
【００３３】
取付プレート３は、支持プレート４の凹部４ａと重ならないように支持プレート４に直立して取り付けられた３枚の板状体から構成されている。
【００３４】
なお、取付プレート３は、３枚に限定されるものではない。
【００３５】
その他、柱脚金物１を基礎８に固定する手順、および柱７を柱脚金物１に固定する手順については、上記と同様である。
【産業上の利用可能性】
【００３６】
本発明は、柱の下端部の固定位置を下げることが可能な柱脚金物、およびこの柱脚金物を用いた柱と基礎との接合構造に適用できる。
【図面の簡単な説明】
【００３７】
【図１】本発明に係る柱脚金物の第１実施例を示す分解斜視図である。
【図２】図１に示す柱脚金物の取付状態を示す平面図である。
【図３】図１に示す柱脚金物の取付状態を一部を破断して示す正面図である。
【図４】本発明に係る柱脚金物の第２実施例を示す斜視図である。
【図５】従来の柱脚金物を示す分解斜視図である。
【図６】従来の柱脚金物の取付状態を一部を破断して示す正面図である。
【符号の説明】
【００３８】
１      柱脚金物
２      ベースプレート
３      取付プレート
４      支持プレート
５      ボルト
６      ドリフトピン
７      柱
８      基礎
８０    基礎天端
Ａ      アンカーナット
【図１】
2005171525.tif 000003
【図２】
2005171525.tif 000004
【図３】
2005171525.tif 000005
【図４】
2005171525.tif 000006
【図５】
2005171525.tif 000007
【図６】
2005171525.tif 000008